(57)【要約】      （修正有）【課題】被写体の人物に対して、撮影された画像を確認後にその利用許諾を与えるか否かを選択する途を提供する。【解決手段】選択画面表示手段は、撮像画像の利用範囲を選択可能にする利用範囲選択画面を表示部に表示する。記憶制御手段は、利用範囲選択画面上で選択された利用範囲を記憶部に記憶する。許諾画面表示手段は、撮影確認画面の表示後、記憶部に記憶されている選択された利用範囲における表示された撮像画像についての利用許諾を操作入力によって宣言可能にする利用許諾画面を前記表示部に表示する。実行手段は、利用許諾画面上で操作入力による利用許諾宣言がなされた場合、画像データベースに記憶させるための処理を実行する。【選択図】図８
2011170878.tif 000002
【特許請求の範囲】
【請求項１】
情報を表示する表示部と、
情報を操作入力する操作入力部と、
撮像画像を取り込む画像取込手段と、
前記取り込んだ撮像画像を含む撮影確認画面を前記表示部に表示する確認画面表示手段と、
前記撮影確認画面が表示される前に、前記操作入力部での操作入力によって前記撮像画像の利用範囲を選択可能にする利用範囲選択画面を前記表示部に表示する選択画面表示手段と、
前記利用範囲選択画面上で前記操作入力部での操作入力によって選択された利用範囲を記憶部に記憶する記憶制御手段と、
前記撮影確認画面の表示後、前記記憶部に記憶されている前記選択された利用範囲における前記表示された撮像画像についての利用許諾を前記操作入力部での操作入力によって宣言可能にする利用許諾画面を前記表示部に表示する許諾画面表示手段と、
前記利用許諾画面上で前記操作入力部での操作入力による利用許諾宣言がなされた場合、画像データベースに記憶させるための処理を実行する実行手段と、
を備える情報端末。
【請求項２】
被写体となる人物を特定する識別コードを取り込む識別コード取込手段と、
識別コードと被写体となる人物の情報とを対応付けて記憶する被写体データベースに前記取り込んだ識別コードが登録されている場合、前記取り込んだ撮像画像については前記利用許諾画面上での利用許諾宣言を省略する省略手段と、
を備える、請求項１記載の情報端末。
【請求項３】
前記撮影確認画面が表示される前に、前記取り込んだ撮像画像を表示するための画像表示エリアを有する撮像待ち画面を前記表示部に表示する待ち画面表示手段、
を備える、請求項１または２に記載の情報端末。
【請求項４】
前記実行手段は、前記記憶部に記憶されている前記選択された利用範囲における前記表示された撮像画像について利用許諾の拒否が前記操作入力部での操作入力によって宣言された場合、前記取り込んだ撮像画像をクリアし、当該取り込んだ撮像画像を前記画像デーベースに記憶させない、請求項１から３のいずれか一に記載の情報端末。
【請求項５】
前記待ち画面表示手段は、前記利用許諾の拒否が前記操作入力部での操作入力によって宣言された場合、再度、前記撮像待ち画面を前記表示部に表示する、請求項３に記載の情報端末。
【請求項６】
情報を表示する表示部と、情報を操作入力する操作入力部と、を備えるコンピュータを、
撮像画像を取り込む画像取込手段と、
前記取り込んだ撮像画像を含む撮影確認画面を前記表示部に表示する確認画面表示手段と、
前記撮影確認画面が表示される前に、前記操作入力部での操作入力によって前記撮像画像の利用範囲を選択可能にする利用範囲選択画面を前記表示部に表示する選択画面表示手段と、
前記利用範囲選択画面上で前記操作入力部での操作入力によって選択された利用範囲を記憶部に記憶する記憶制御手段と、
前記撮影確認画面の表示後、前記記憶部に記憶されている前記選択された利用範囲における前記表示された撮像画像についての利用許諾を前記操作入力部での操作入力によって宣言可能にする利用許諾画面を前記表示部に表示する許諾画面表示手段と、
前記利用許諾画面上で前記操作入力部での操作入力による利用許諾宣言がなされた場合、画像データベースに記憶させるための処理を実行する実行手段と、
として機能させるためのプログラム。
【発明の詳細な説明】
【技術分野】
【０００１】
本発明の実施形態は、デジタルカメラの撮像画像を取り込んで保存するに際して、被写体となる人物の利用許諾を取得できるようにした情報端末及びプログラムに関する。
【背景技術】
【０００２】
近年、デジタル撮像技術の急速な普及に伴い、誰でも気軽にデジタル写真を撮影することができるようになってきている。しかも、撮像された画像がデジタルデータであることから、その複製、加工、通信による送信等の取り扱いがきわめて容易である。このようなことから、商業目的でのデジタル写真の活用も、確実に裾野が広がってきているのが現状である。
【０００３】
その反面、デジタル撮像技術の急速な普及は、例えばインターネットの普及とも相俟って、肖像権の侵害という問題も増加拡大させている。とりわけ、商業目的でデジタル画像を用いる場合には、被写体となっている人物の肖像権を侵害しないように管理することがきわめて重要である。このようなことから、被写体に撮影の可否を示す情報を記憶する無線タグを持たせておき、その無線タグと無線送信して撮影を許可する情報を得た場合にのみその被写体が写るようにしたカメラが提案されている（特許文献１）。また、被写体（人物、衣類、書物、美術品、建築物）に撮影の可否を示す情報を記憶する無線タグを付加しておき、その無線タグと無線送信して撮影を許可する情報を得た場合にのみ画像データを作成できるようにしたシステムも提案されている（特許文献２）。
【発明の概要】
【発明が解決しようとする課題】
【０００４】
この出願の発明者等は、ある人物とある商品とを組にしてその画像を撮像し、両者を組にして画像管理できるようにする新規な技術を開発している。一例として、例えばブティックにおいて、そこで売られている衣服をそのブティックの店員が試着した画像を撮像し、その画像をその衣服を特定する商品コードと紐付けして管理する。これにより、その衣服の購入を検討している顧客が現れた場合、その衣服の商品コードを検索することでその衣類を試着した店員の画像を検索し、店内に設置されているディスプレイに表示できるようにする。これにより、顧客に商品のイメージを伝え易くなり、売上の向上が見込める。
【０００５】
ところが、この場合に問題となるのが被写体となる人物、上記例ではブティックの店員の肖像権が問題となる。つまり、そのような画像の使用に当該人物の使用許諾をもらわなければ、ゆくゆく肖像権の侵害という問題を引き起こしかねない。そこで、上記新規な技術中に、特許文献１、２に記載されているような技術を付加することが考えられる。
【０００６】
しかしながら、その場合には次に述べるような問題が生ずる。つまり、被写体となる人物は、実際に撮影された画像を見て確認する前に撮像画像の利用の可否を決めなければならない。換言すると、実際に撮影された画像を見て確認してからその利用許諾をすることができない。このため、被写体となる人物にリスクを負わせてしまうという問題が生ずる。
【課題を解決するための手段】
【０００７】
実施形態の情報端末は、表示部と、操作入力部と、画像取込手段と、確認画面表示手段と、選択画面表示手段と、記憶制御手段と、許諾画面表示手段と、実行手段と、を備える。前記表示部は、情報を表示する。前記操作入力部は、情報を操作入力する。前記画像取込手段は、撮像画像を取り込む。前記確認画面表示手段は、前記取り込んだ撮像画像を含む撮影確認画面を前記表示部に表示する。前記選択画面表示手段は、前記撮影確認画面が表示される前に、前記操作入力部での操作入力によって前記撮像画像の利用範囲を選択可能にする利用範囲選択画面を前記表示部に表示する。前記記憶制御手段は、前記利用範囲選択画面上で前記操作入力部での操作入力によって選択された利用範囲を記憶部に記憶する。前記確認画面表示手段は、前記取り込んだ撮像画像を含む撮影確認画面を前記表示部に表示する。前記許諾画面表示手段は、前記撮影確認画面の表示後、前記記憶部に記憶されている前記選択された利用範囲における前記表示された撮像画像についての利用許諾を前記操作入力部での操作入力によって宣言可能にする利用許諾画面を前記表示部に表示する。前記実行手段は、前記利用許諾画面上で前記操作入力部での操作入力による利用許諾宣言がなされた場合、画像データベースに記憶させるための処理を実行する。
【図面の簡単な説明】
【０００８】
【図１】図１は、本実施形態にかかる情報端末を示す外観斜視図である。
【図２】図２は、本実施形態にかかる情報端末の電気的接続のブロック図である。
【図３】図３は、本実施形態にかかる情報端末のＨＤＤに記録されている商品マスタエリアの記録データを示す模式図である。
【図４】図４は、本実施形態にかかる情報端末のＨＤＤに記録されている被写体マスタエリアの記録データを示す模式図である。
【図５】図５は、本実施形態にかかる情報端末のＨＤＤに記録されている利用範囲マスタエリアの記録データを示す模式図である。
【図６】図６は、本実施形態にかかる情報端末のＨＤＤに記録されているメタ画像蓄積エリアの記録データを示す模式図である。
【図７】図７は、本実施形態にかかる情報端末のＨＤＤに記録されている商品ＩＤリンクエリアの記録データを示す模式図である。
【図８】図８は、画像データ登録処理の流れを示すフローチャートである。
【図９】図９は、本実施形態にかかる情報端末の液晶ディスプレイに表示される利用範囲選択画面の一例を示す模式図である。
【図１０】図１０は、本実施形態にかかる情報端末の液晶ディスプレイに表示される撮影待ち画面の一例を示す模式図である。
【図１１】図１１は、本実施形態にかかる情報端末の液晶ディスプレイに表示される撮影確認画面の一例を示す模式図である。
【図１２】図１２は、本実施形態にかかる情報端末の液晶ディスプレイに表示される被写体ＩＤが読み取られた後の撮影確認画面の一例を示す模式図である。
【図１３】図１３は、本実施形態にかかる情報端末の液晶ディスプレイに表示される商品ＩＤが読み取られた後の撮影確認画面の一例を示す模式図である。
【図１４】図１４は、本実施形態にかかる情報端末の液晶ディスプレイに表示される利用許諾画面の一例を示す模式図である。
【発明を実施するための形態】
【０００９】
本実施形態にかかる情報端末を図１ないし図１４に基づいて説明する。
【００１０】
図１は、本実施形態にかかる情報端末を示す外観斜視図である。情報端末１０１は、各部を収納する平べったい本体部１０２の上面に表示部としての液晶ディスプレイ１０３が載置されて構成されている。液晶ディスプレイ１０３には、その表示面１０４の上に操作入力部としてのタッチパネル１０５が積層配置されている。液晶ディスプレイ１０３には、そのフレーム１０６の上部にカメラ１０７も取り付けられている。
【００１１】
図２は、本実施形態にかかる情報端末１０１の電気的接続のブロック図である。図２に示すように、情報端末１０１には、マイクロコンピュータ２０１が備えられており、このマイクロコンピュータ２０１が各部を駆動制御する。マイクロコンピュータ２０１は、各部を集中的に制御するＣＰＵ２０２に、バスライン２０３を介して制御プログラム等の固定的情報を予め記憶するＲＯＭ２０４と、各種情報を書き換え自在に記憶してワークエリア等として機能するＲＡＭ２０５とが接続されて構成されている。したがって、マイクロコンピュータ２０１は、情報処理を実行する情報処理部を構成する。なお、図２では、ＣＰＵ２０２、ＲＯＭ２０４及びＲＡＭ２０５を単一構成物として表示しているが、これらのＣＰＵ２０２、ＲＯＭ２０４及びＲＡＭ２０５は、複数の固体に分割されて構成されていてもよい。特に、ＲＡＭ２０５として表示している構成物は、少なくとも、ワークエリアとして用いられるチップと画像メモリを構成するチップとを含んでいる。
【００１２】
マイクロコンピュータ２０１には、バスライン２０３を介してＩ／ＯインターフェースＩＦが接続されている。そして、Ｉ／ＯインターフェースＩＦには、タッチパネルコントローラ２０６、ビデオコントローラ２０７、ＨＤＤ２０８、及びシリアルポート２０９が接続されており、シリアルポート２０９には、ＲＦＩＤリーダライタ２１０及びカメラ１０７が接続されている。シリアルポート２０９には、例えば外部カメラ２１１（デジタルカメラ）等の外部機器を接続することもできる。
【００１３】
タッチパネルコントローラ２０６には、タッチパネル１０５が接続されている。タッチパネルコントローラ２０６は、タッチパネル１０５からの入力信号をマイクロコンピュータ２０１に取り込む。
【００１４】
ビデオコントローラ２０７には、液晶ディスプレイ１０３が接続されている。ビデオコントローラ２０７は、画像データに基づいて液晶ディスプレイ１０３を駆動制御し、画像データに応じた画像を液晶ディスプレイ１０３に表示させる。
【００１５】
ＨＤＤ２０８には、プログラムエリア２１２、商品マスタエリア２１３（商品データベース）、被写体マスタエリア２１４（被写体データベース）、利用範囲マスタエリア２１５、メタ画像蓄積エリア２１６（画像データベースの一部）、及び商品ＩＤリンクエリア２１７（画像データベースの他の一部）が設けられている。プログラムエリア２１２には、ＯＳ及びコンピュータプログラム等がインストールされている。これらのＯＳ及びコンピュータプログラム等は、情報端末１０１の起動時にその全部又は一部がＲＡＭ２０５にコピーされてＣＰＵ２０２にアクセスされる。ＣＰＵ２０２は、こうしてコピーされたＯＳ及びコンピュータプログラムに従った処理を実行する。商品マスタエリア２１３は、商品データベースを構築する。その詳細については図３に基づいて後述する。被写体マスタエリア２１４は、被写体データベースを構築する。その詳細については図４に基づいて後述する。利用範囲マスタエリア２１５の詳細については図５に基づいて後述する。メタ画像蓄積エリア２１６及び商品ＩＤリンクエリア２１７は画像データベースを構築する。メタ画像蓄積エリア２１６の詳細については図６に基づいて、商品ＩＤリンクエリア２１７の詳細については図７に基づいて、それぞれ後述する。
【００１６】
シリアルポート２０９に接続されているＲＦＩＤリーダライタ２１０は、例えば電磁誘導結合による近距離無線通信をＲＦＩＤチップとの間で実行する。本実施の形態においては、被写体となる人物及び商品にＲＦＩＤチップが付帯している。つまり、被写体となる人物は、自己を特定する識別コードを記憶するＲＦＩＤチップを内蔵するＩＤカード（図示せず）を所持する。また、商品には、その商品を特定する商品コードを記憶するＲＦＩＤチップを内蔵する無線タグ（図示せず）が付されている。したがって、ＲＦＩＤリーダライタ２１０は、被写体となる人物が所持するＩＤカードからその人物を特定する識別コードを受信し、商品に付された無線タグからはその商品を特定する商品コードを受信し、これらの受信した識別コード及び商品コードを出力する。マイクロコンピュータ２０１は、ＲＦＩＤリーダライタ２１０が出力した識別コード及び商品コードをシリアルポート２０９からＩ／ＯインターフェースＩＦを介して取り込む。
【００１７】
別の一例として、被写体となる人物を特定する識別コードや商品を特定する商品コードは、別の機器で読み取られたり入力されたりして、マイクロコンピュータ２０１に取り込まれる構成であっても良い。一例として、液晶ディスプレイ１０３にテンキーを表示しておき、表示されているテンキーに従ったタッチパネル１０５での入力によって識別コードや商品コードを入力するようにしても良い。別の一例として、バーコードや２次元コード等のコードシンボルとして表現された識別コードや商品コードを用意しておき、これらのコードシンボルをコードリーダによって光学的に読み取ることで入力するようにしても良い。
【００１８】
シリアルポート２０９に接続されているカメラ１０７は、レンズ１０８から取り込んだ画像を２次元ＣＣＤアレイ（図示せず）に結像させ、ＣＣＤアレイの出力を増幅、Ａ／Ｄ変換、フィルタリング等して出力するデジタルカメラである。外部カメラ２１１も、基本的には同様な構造を有するデジタルカメラである。
【００１９】
図３は、本実施形態にかかる情報端末１０１のＨＤＤ２０８に記録されている商品マスタエリア２１３（商品データベース）の記録データを示す模式図である。商品マスタエリア２１３は、個々の商品を特定する商品ＩＤ（商品コード）に商品名称を対応付けて記憶している。
【００２０】
図４は、本実施形態にかかる情報端末１０１のＨＤＤ２０８に記録されている被写体マスタエリア２１４（被写体データベース）の記録データを示す模式図である。被写体マスタエリア２１４は、被写体となる人物を特定する被写体ＩＤ（識別コード）に被写体の氏名を対応付けて記憶している。
【００２１】
図５は、本実施形態にかかる情報端末１０１のＨＤＤ２０８に記録されている利用範囲マスタエリア２１５の記録データを示す模式図である。利用範囲マスタエリア２１５は、利用範囲を特定する利用範囲ＩＤに利用範囲を対応付けて記憶している。利用範囲というのは、カメラ１０７や外部カメラ２１１による撮像画像の利用範囲を意味している。例えば、店舗内端末での表示、Ｗｅｂでの表示、店舗間情報共有等が利用範囲として規定されている。
【００２２】
図６は、本実施形態にかかる情報端末１０１のＨＤＤ２０８に記録されているメタ画像蓄積エリア２１６（画像データベースの一部）の記録データを示す模式図である。メタ画像蓄積エリア２１６は、カメラ１０７や外部カメラ２１１によって撮像されてマイクロコンピュータ２０１に取り込まれた画像を特定する画像ＩＤに、カメラ１０７による撮像画像そのもののデータであるバイナリデータ（画像データ）とそのパス名とを対応付けて記憶している。パス名には、バイナリデータのデータ形式が含まれている。そこで、別の実施の形態として、バイナリデータそのものはメタ画像蓄積エリア２１６には蓄積せずにいずれかの記憶領域に記憶させておき、メタ画像蓄積エリア２１６にはパス名のみを記憶させておくことも可能である。このようなデータ構造を採用した場合、パス名をキーとしてメタ画像を検索することが可能である。
【００２３】
図７は、本実施形態にかかる情報端末１０１のＨＤＤ２０８に記録されている商品ＩＤリンクエリア２１７（画像データベースの他の一部）の記録データを示す模式図である。商品ＩＤリンクエリア２１７は、画像ＩＤに商品ＩＤと利用範囲ＩＤとを対応付けて記憶している。したがって、商品ＩＤリンクエリア２１７を参照することで、例えば商品ＩＤをキーとして対応する画像ＩＤ及び利用範囲ＩＤを検索することができる。検索によって画像ＩＤが判明すれば、メタ画像蓄積エリア２１６からバイナリデータを取得することができ、また、検索によって利用範囲ＩＤが判明すれば、利用範囲マスタエリア２１５から利用範囲を取得することができる。
【００２４】
図８は、画像データ登録処理の流れを示すフローチャートである。ＨＤＤ２０８のプログラムエリア２１２にインストールされているコンピュータプログラムには、カメラ１０７や外部カメラ２１１によって撮像された画像データを、画像データベースを構築するメタ画像蓄積エリア２１６及び商品ＩＤリンクエリア２１７に蓄積登録するための画像データ登録処理用のプログラムが含まれている。この画像データ登録処理用のプログラムは、その起動時にＲＡＭ２０５にコピーされて使用される。図８に示すフローチャートの処理は、こうしてＲＡＭ２０５にコピーされた画像データ登録処理用のプログラムに従いＣＰＵ２０２が実行する処理内容を示している。
【００２５】
ＣＰＵ２０２は、まず、撮像画像の利用範囲を設定する処理を実行する（ステップＳ１０１）。つまり、ＣＰＵ２０２は、ビデオコントローラ２０７に対して、利用範囲選択画面Ａを液晶ディスプレイ１０３に表示させるための信号を出力し、タッチパネル１０５からの情報入力に待機する。
【００２６】
図９は、本実施形態にかかる情報端末１０１の液晶ディスプレイ１０３に表示される利用範囲選択画面Ａの一例を示す模式図である。利用範囲選択画面Ａには、利用範囲選択エリアＡ１と、被写体表示エリアＡ２と、利用範囲表示エリアＡ３と、登録ボタンＡ４と、キャンセルボタンＡ５とが表示される。利用範囲選択エリアＡ１は、プルダウン指示オブジェクトＡ１−１のタッチ指定によって選択可能な利用範囲ＩＤ一覧Ａ１−２をプルダウン表示する。そこで、プルダウン表示された利用範囲ＩＤ一覧Ａ１−２から所望の利用範囲ＩＤを選択することで、利用範囲の選択がなされる。選択された利用範囲は、利用範囲表示エリアＡ３に表示される。この状態で登録ボタンＡ４がタッチ指定されると、撮像画像の利用範囲の設定がなされる。つまり、選択された利用範囲を特定する利用範囲ＩＤがＲＡＭ２０５に一時記憶され、図８のフローチャート中のステップＳ１０１の処理が完了する。これに対して、キャンセルボタンＡ５がタッチ指定されると、キャンセル処理がなされ、画像データ登録処理が終了する。
【００２７】
図８に示すフローチャートの説明に戻る。ステップＳ１０１に示す撮像画像の利用範囲の設定が完了すると、撮影待ち画面Ｂ（図１０参照）の表示処理が実行される（ステップＳ１０２）。つまり、ＣＰＵ２０２は、ビデオコントローラ２０７に対して、撮影待ち画面Ｂを液晶ディスプレイ１０３に表示させるための信号を出力する。
【００２８】
図１０は、本実施形態にかかる情報端末１０１の液晶ディスプレイ１０３に表示される撮影待ち画面Ｂの一例を示す模式図である。撮影待ち画面Ｂには、画像表示エリアＢ１と、被写体表示エリアＢ２と、商品名表示エリアＢ３と、登録ボタンＢ４と、キャンセルボタンＢ５とが表示されている。
【００２９】
画像表示エリアＢ１は、カメラ１０７又は外部カメラ２１１が出力してマイクロコンピュータ２０１が取り込んだ撮像画像を表示するために確保されている領域である。もっとも、撮影待ち画面Ｂが表示されている場合には、カメラ１０７又は外部カメラ２１１による撮影、より詳細にはカメラ１０７又は外部カメラ２１１からの出力が未だない状態であるので、画像表示エリアＢ１には撮像画像が表示されず、「撮影待機中」という状態表示のみが表示されている。つまり、撮影待ち画面Ｂでは、画像表示エリアＢ１は撮像画像を表示するために確保された領域であるに過ぎず、撮像画像が表示されない。
【００３０】
被写体表示エリアＢ２は、被写体の氏名を表示するために確保されている領域である。この場合の氏名のデータは、被写体が所持するＩＤからＲＦＩＤリーダライタ２１０が読み取って出力した識別コードをマイクロコンピュータ２０１が取り込み、取り込んだ識別コードである被写体ＩＤをキーとして被写体マスタエリア２１４（図４参照）から検索して得た被写体の氏名である。もっとも、撮影待ち画面Ｂが表示されている場合には、そのような被写体の氏名を検索する処理が未だなされない状態であるので、被写体表示エリアＢ２には被写体の氏名が表示されず、ブランク表示状態となっている。
【００３１】
商品名表示エリアＢ３は、被写体が許可する撮像画像の利用範囲が表示される。この場合の利用範囲のデータは、ステップＳ１０１で設定されてＲＡＭ２０５に一時記憶されている利用範囲ＩＤをキーとして利用範囲マスタエリア２１５（図５参照）から検索して得た利用範囲である。撮影待ち画面Ｂが表示されている場合には（ステップＳ１０２）、ステップＳ１０１の処理によって既に利用範囲が設定されている。そこで、撮影待ち画面Ｂの商品名表示エリアＢ３には、ステップＳ１０１の処理によって既に設定されている利用範囲が表示される。
【００３２】
登録ボタンＢ４及びキャンセルボタンＢ５は、それぞれ、登録及びキャンセルをタッチ指定するためのオブジェクトである。
【００３３】
図８に示すフローチャートの説明に戻る。ステップＳ１０２に示す撮像待ち画面Ｂの表示処理が実行された後は、カメラ撮影に待機している（ステップＳ１０３）。つまり、ＣＰＵ２０２は、カメラ１０７又は外部カメラ２１１から出力される撮像画像の受信に待機している。そして、ＣＰＵ２０２は、カメラ１０７等から出力される撮像画像を受信すると、受信した撮像画像について画像ＩＤを決定してＲＡＭ２０５に一時記憶し、受信した撮像画像を表示させるようにビデオコントローラ２０７を駆動制御する（ステップＳ１０４）。これにより、ビデオコントローラ２０７は、受信した撮像画像の画像データをＲＡＭ２０５中の画像メモリに展開する。そして、ＣＰＵ２０２は、画像メモリに展開された画像データを撮影待ち画面Ｂの画像表示エリアＢ１に表示するようにビデオコントローラ２０７を駆動制御する（ステップＳ１０５）。その結果、受信した撮像画像の画像データが撮影待ち画面Ｂの画像表示エリアＢ１に表示され、撮影待ち画面Ｂは撮影確認画面Ｃ（図１１参照）となる。
【００３４】
図１１は、本実施形態にかかる情報端末１０１の液晶ディスプレイ１０３に表示される撮影確認画面Ｃの一例を示す模式図である。撮影確認画面Ｃは、基本的には撮影待ち画面Ｂと共通した画面構成となっており、相違するのは撮像画像が表示されている点である。つまり、撮影確認画面Ｃには、画像表示エリアＣ１と、被写体表示エリアＣ２と、商品名表示エリアＣ３と、登録ボタンＣ４と、キャンセルボタンＣ５とが表示されている。
【００３５】
画像表示エリアＣ１には、カメラ１０７又は外部カメラ２１１が出力してマイクロコンピュータ２０１が取り込んだ撮像画像（ステップＳ１０３参照）が表示されている。
【００３６】
被写体表示エリアＣ２には、被写体の氏名が表示される。この場合の氏名のデータは、被写体が所持するＩＤからＲＦＩＤリーダライタ２１０が読み取って出力した識別コードをマイクロコンピュータ２０１が取り込み、取り込んだ識別コードである被写体ＩＤをキーとして被写体マスタエリア２１４（図４参照）から検索して得た被写体の氏名である。このような被写体の氏名の検索処理については後述する（ステップＳ１０７〜１０９）。
【００３７】
商品名表示エリアＣ３には、被写体が許可する撮像画像の利用範囲が表示される。商品名表示エリアＣ３には、撮影待ち画面Ｂの商品名表示エリアＢ３に表示されていた利用範囲が引き続き表示されている。
【００３８】
登録ボタンＣ４及びキャンセルボタンＣ５は、それぞれ、登録及びキャンセルをタッチ指定するためのオブジェクトである。
【００３９】
図８に示すフローチャートの説明に戻る。ＣＰＵ２０２は、撮影確認画面Ｃの表示処理（ステップＳ１０５）の後、ＲＦＩＤリーダライタ２１０を起動させ、そのＲＦＩＤアンテナ（図示せず）に出力を供給させる（ステップＳ１０６）。これにより、ＣＰＵ２０２は、タッチパネル１０５からの操作入力のみならず、ＲＦＩＤリーダライタ２１０からの読み取り入力によって入力されたデータも取り込み可能な状態となる。そこで、ＣＰＵ２０２は、続く処理として、イベント入力の有無及びイベント種別の判定処理に待機する（ステップＳ１０７）。
【００４０】
ＣＰＵ２０２は、ステップＳ１０７に示すイベント入力の有無及びイベント種別の判定処理中、ＲＦＩＤリーダライタ２１０から出力があると（ＲＦＩＤ読み取り）、その種類を判定する（ステップＳ１０８）。つまり、前述したように、被写体となる人物は、自己を特定する識別コードを記憶するＲＦＩＤチップを内蔵するＩＤカード（図示せず）を所持しており、また、商品にはその商品を特定する商品コードを記憶するＲＦＩＤチップを内蔵する無線タグ（図示せず）が付されている。そこで、ＲＦＩＤリーダライタ２１０は、被写体となる人物が所持するＩＤカードからその人物を特定する識別コードを受信し、商品に付された無線タグからはその商品を特定する商品コードを受信し、これらの受信した識別コード及び商品コードを出力する。
【００４１】
マイクロコンピュータ２０１は、ＲＦＩＤリーダライタ２１０が出力した識別コード及び商品コードをシリアルポート２０９からＩ／ＯインターフェースＩＦを介して取り込み、ステップＳ１０７においてＲＦＩＤ読み取りを判定する。そして、被写体となる人物が所持するＩＤカードに記憶されている識別コード（被写体ＩＤ）には識別コードであることを示すデータが含まれ、商品に付された無線タグに記憶されている商品コード（商品ＩＤ）には商品コードであることを示すデータが含まれているので、ステップＳ１０８での種類判定が可能となる。
【００４２】
ＣＰＵ２０２は、ステップＳ１０８の種類判定処理で被写体ＩＤを判定すると（ステップＳ１０８の被写体ＩＤ）、ステップＳ１０９の処理を実行する。つまり、取り込んだ被写体ＩＤをＲＡＭ２０５のワークエリアに一時記憶する。そして、取り込んだ被写体ＩＤをキーとして被写体マスタエリア２１４（図４参照）から被写体の氏名を検索して取得し、この取得した被写体の氏名を被写体表示エリアＣ２に表示する（図１２参照）。その後、ＣＰＵ２０２は、ステップＳ１０６の処理にリターンする。
【００４３】
図１２は、本実施形態にかかる情報端末１０１の液晶ディスプレイ１０３に表示される被写体ＩＤが読み取られた後の撮影確認画面Ｃの一例を示す模式図である。図１１と比較することで明らかなように、図１２に示す撮影確認画面Ｃでは、被写体表示エリアＣ２に被写体の氏名が表示されている。
【００４４】
ＣＰＵ２０２は、ステップＳ１０８の種類判定処理で商品ＩＤを判定すると（ステップＳ１０８の商品ＩＤ）、ステップＳ１１０の処理を実行する。つまり、取り込んだ商品ＩＤをＲＡＭ２０５のワークエリアに一時記憶する。そして、取り込んだ商品ＩＤをキーとして商品マスタエリア２１３（図３参照）から商品名称を検索して取得し、この取得した商品の名称を商品名表示エリアＣ３に表示する（図１３参照）。その後、ＣＰＵ２０２は、ステップＳ１０６の処理にリターンする。
【００４５】
図１３は、本実施形態にかかる情報端末１０１の液晶ディスプレイ１０３に表示される商品ＩＤが読み取られた後の撮影確認画面Ｃの一例を示す模式図である。図１１及び図１２と比較することで明らかなように、図１３に示す撮影確認画面Ｃでは、商品名表示エリアＣ３に商品名称が表示されている。
【００４６】
ＣＰＵ２０２は、ステップＳ１０８の種類判定処理で被写体ＩＤ及び商品ＩＤ以外の読み取り対象を判定した場合には（ステップＳ１０８のその他）、そのままステップＳ１０６の処理にリターンする。
【００４７】
以上、ステップＳ１０７に示すイベント入力の有無及びイベント種別の判定処理において、ＣＰＵ２０２がＲＦＩＤ読み取りを判定した場合（ステップＳ１０７のＲＦＩＤ読み取り）の処理（ステップＳ１０８〜１１０）について説明した。これに対して、ＣＰＵ２０２は、ステップＳ１０７に示すイベント入力の有無及びイベント種別の判定処理において、タッチパネル１０５による登録ボタンＣ４のタッチ指定を判定した場合には（ステップＳ１０７の登録ボタン）、画像データの登録処理を実行する。次に、画像データの登録処理について説明する。
【００４８】
まず、ＣＰＵ２０２は、被写体が撮影確認画面Ｃの画像表示エリアＣ１に表示されている画像についてその利用を承諾済みであるかどうかを判定する（ステップＳ１１１）。被写体が画像表示エリアＣ１に表示されている画像の利用を承諾済みであるか否かは、ＲＡＭ２０５に一時記憶されているステータスを参照することによってなされる。つまり、被写体が所持するＩＤカードから識別コードが読み取られると（ステップＳ１０７〜１０８参照）、読み取られた識別コードは被写体ＩＤとしてＲＡＭ２０５のワークエリアに一時記憶される（ステップＳ１０９）。この際、ＣＰＵ２０２は、一時記憶した被写体ＩＤについて、被写体が画像表示エリアＣ１に表示されている画像の利用を承諾済みであるか否かのステータスを設定し、その承諾の有無を管理できるようにしている。この場合の承諾は、後述するステップＳ１１２で表示される利用許諾画面Ｄの許諾ボタンＤ２（図１４参照）のタッチ指定によってなされる。そこで、ＣＰＵ２０２は、ステップＳ１１１の判定処理において、ＲＡＭ２０５のワークエリアに一時記憶されている被写体ＩＤに設定されているステータスを参照し、被写体が画像表示エリアＣ１に表示されている画像の利用を承諾済みであるか否かを判定する。
【００４９】
次いで、ＣＰＵ２０２は、被写体が画像表示エリアＣ１に表示されている画像の利用を承諾済みではないと判定した場合（ステップＳ１１１のＮ）、利用許諾画面Ｄ（図１４参照）を撮影確認画面Ｃにポップアップ表示する（ステップＳ１１２）。
【００５０】
図１４は、本実施形態にかかる情報端末１０１の液晶ディスプレイ１０３に表示される利用許諾画面Ｄの一例を示す模式図である。利用許諾画面Ｄには、許諾内容を示す許諾事項表示エリアＤ１と、許諾ボタンＤ２と、許諾拒否ボタンＤ３とが表示されている。許諾事項表示エリアＤ１には、「当システムによって撮影した画像・登録情報を以下目的にて使用する権利を許諾します。」というような許諾内容が示され、その下に「以下目的」の内容が列挙されて示されている。列挙される「以下目的」には、ステップＳ１０１の処理で図９に示す利用範囲選択画面Ａ上で選択入力されてＲＡＭ２０５に一時記憶されている撮像画像の利用範囲の内容が引用されて表示される。そして、許諾ボタンＤ２は許諾の意思表示を示すためにタッチ指定されるオブジェクトであり、許諾拒否ボタンＤ３は許諾拒否の意思表示を示すためにタッチ指定されるオブジェクトである。
【００５１】
ＣＰＵ２０２は、ステップＳ１１２に示す利用許諾画面Ｄのポップアップ表示処理後、利用許諾画面Ｄに含まれている許諾ボタンＤ２がタッチ指定されることによって生ずる「許諾」というイベントの発生を判定すると（ステップＳ１１３のＹ）、許諾された撮像画像の登録を実行する（ステップＳ１１４）。つまり、ステップＳ１０３で取り込んだカメラ１０７等の撮像画像の画像データそのものであるバイナリデータを、ステップＳ１０４でＲＡＭ２０５に一時記憶した画像ＩＤと共に図６に示すメタ画像蓄積エリア２１６に保存登録する。この際、カメラ１０７等の撮像画像に伴われているパス名も画像ＩＤ及びバイナリデータに対応付けてメタ画像蓄積エリア２１６に保存登録する。そして、図７に示す商品ＩＤリンクエリア２１７には、その画像ＩＤに対応付けて、ステップＳ１１０でＲＡＭ２０５に一時記憶した商品ＩＤとステップＳ１０１で設定した利用範囲とを保存登録する。この際、商品ＩＤリンクエリア２１７に画像ＩＤと紐付けして保存登録する利用範囲ＩＤは、画像データベース（メタ画像蓄積エリア２１６、商品ＩＤリンクエリア２１７）に記憶させる取り込んだ撮像画像に利用許諾があったことを示す利用許諾済み情報として利用することができる。
【００５２】
一方、ＣＰＵ２０２は、ステップＳ１１２に示す利用許諾画面Ｄのポップアップ表示処理後、利用許諾画面Ｄに含まれている許諾拒否ボタンＤ３がタッチ指定されることによって生ずる「許諾拒否」というイベントの発生を判定すると（ステップＳ１１３のＮ）、ＲＡＭ２０５に一時記憶している撮像画像のデータをクリアし（ステップＳ１１７）、ステップＳ１０２の撮影待ち画面Ｂの表示処理にリターンする。
【００５３】
このようなステップＳ１０２の撮影待ち画面Ｂの表示処理へのリターンは、前述したステップＳ１０７でのイベント入力の有無及びイベント種別の判定処理においてキャンセルボタンＣ５のタッチ指定が判定された場合にも実行される（ステップＳ１０７のキャンセルボタン）。より詳細には、図１１ないし図１３に示す撮影確認画面Ｃ上でキャンセルボタンＣ５のタッチ指定がなされると、ＣＰＵ２０２は、キャンセルの種類を判定する。つまり、撮影確認画面Ｃ上では、画像表示エリアＣ１、被写体表示エリアＣ２又は商品名表示エリアＣ３のいずれか一つをタッチ指定によって選択してからキャンセルボタンＣ５がタッチ指定されると、選択された対象物についてのキャンセルを指定することができる。例えば、画像表示エリアＣ１をタッチ指定によって選択してからキャンセルボタンＣ５をタッチ指定すると、ステップＳ１０４でＲＡＭ２０５に一時記憶した撮像画像のキャンセルを指定することができる。また、被写体表示エリアＣ２をタッチ指定によって選択してからキャンセルボタンＣ５をタッチ指定すると、ステップＳ１０９でＲＡＭ２０５に一時記憶した被写体ＩＤのキャンセルを指定することができる。そして、商品名表示エリアＣ３をタッチ指定によって選択してからキャンセルボタンＣ５をタッチ指定すると、ステップＳ１１０でＲＡＭ２０５に一時記憶した商品ＩＤのキャンセルを指定することができる。そこで、ＣＰＵ２０２は、撮像画像のキャンセルが指定された場合には（ステップＳ１１５のＹ）、ＲＡＭ２０５に一時記憶している撮像画像のデータをクリアし（ステップＳ１１７）、ステップＳ１０２の撮影待ち画面Ｂの表示処理にリターンする。その他の対象物が選択されてキャンセルが指定された場合には（ステップＳ１１５のＮ）、ＲＡＭ２０５に一時記憶している対応データをクリアし（ステップＳ１１６）、ステップＳ１０２の撮影待ち画面Ｂの表示処理にリターンする。
【００５４】
ここで、ＣＰＵ２０２は、ステップＳ１１１において、被写体が画像表示エリアＣ１に表示されている画像の利用を承諾済みであると判定した場合（ステップＳ１１１のＹ）、利用許諾画面Ｄによる利用許諾の意思表示確認処理（ステップＳ１１２〜１１３）を経ることなく、直ちにステップＳ１１４の撮像画像の登録処理を実行する（ステップＳ１１４）。これは、一人の被写体である人物の利用許諾を一度取得したならば、一連に撮影される他の撮像画像については利用許諾を承諾してもよいであろうという主旨の下に実行される処理である。このような利用許諾の省略処理を実行することで、円滑な撮影業務の遂行が図られる。
【００５５】
なお、前述したように、被写体が画像表示エリアＣ１に表示されている画像の利用を承諾済みであるか否かは、ＲＡＭ２０５に一時記憶されているステータスを参照することによってなされる。このステータスは、ステップＳ１１３で、許諾ボタンＤ２のタッチ指定による許諾の意思表示を判定することによって利用許諾というステータスに設定される。そこで、別の実施の形態として、ステップＳ１１３での許諾ボタンＤ２のタッチ指定による許諾の意思表示の回数を管理し、この回数が所望の回数Ｘ以降に達すると利用許諾のステータスを設定するようにしてもよい。
【００５６】
以上説明したように、本実施の形態によれば、撮影確認画面Ｃ上の画像表示エリアＣ１に実際に撮影された画像を表示し、その後に利用許諾画面Ｄ上で利用許諾を与えるか否かを選択指定可能にしている。したがって、被写体となる人物に対して、撮影確認画面Ｃ上で実際に撮影された画像を見て確認してから利用許諾画面Ｄ上でその利用許諾を与えるか否かを選択する途を提供することができ、被写体の肖像権保護の実効を図ることができる。
【００５７】
また、利用許諾が得られた撮像画像については、直ちに画像データベース（メタ画像蓄積エリア２１６、商品ＩＤリンクエリア２１７）に保存登録することができる。このため、従来であれば個々の撮像画像毎に利用許諾を人手によって取得しなければならなかった作業が省略され、業務の合理化を図ることができる。
【００５８】
しかも、画像データベース（メタ画像蓄積エリア２１６、商品ＩＤリンクエリア２１７）に記憶させる取り込んだ撮像画像には、図７に示す商品ＩＤリンクエリア２１７中の利用範囲ＩＤとして、利用許諾があったことを示す利用許諾済み情報が付加される。このため、本実施の形態のシステム導入前に何らかの画像データベースに蓄積していた過去分の撮像画像と被写体の利用承諾を得ている本実施の形態による撮像画像とを区別することができる。これにより、本実施の形態による撮像画像については、より一層、利用上の利便性を向上させることができる。
【００５９】
なお、ＣＰＵ２０２は、ステップＳ１１２での利用許諾画面Ｄ（図１４参照）を撮影確認画面Ｃのポップアップ表示の条件として、ステップＳ１１０で商品ＩＤの取り込みの判定を条件としてもよい。これにより、画像データベース（メタ画像蓄積エリア２１６、商品ＩＤリンクエリア２１７）に商品とは無関係に撮像画像だけが蓄積されてしまうことを防止することができ、より一層の肖像権保護を図ることができる。
【００６０】
また、本実施の形態では、画像表示エリアＣ１に表示されている画像について、被写体にその利用の承諾の意思表示をしてもらうための仕組みとして、利用許諾画面Ｄ上での許諾ボタンＤ２のタッチ指定という仕組みを採用している。これに対して、別の実施の形態として、シリアルポート２０９に手書きタブレット（図示せず）を接続しておき、手書きタブレットへの手書き入力画像の取り込みをもって利用許諾又はその拒否を実行するようにしてもよい。この場合、被写体マスタエリア２１４に被写体となる人物の筆跡データを格納しておき、手書きタブレットに筆記された筆跡が本人の筆跡であるかどうかを判定することも可能である。更に別の実施の形態として、シリアルポート２０９に生体情報取得用のセンサ（図示せず）を接続しておき、かつ、被写体マスタエリア２１４に当該センサによって取得可能な被写体となる人物の生体認証データを登録しておき、生体情報取得用のセンサによって入力された生体情報と被写体マスタエリア２１４に登録されている生体情報との一致をもって利用許諾又はその拒否を実行するようにしてもよい。
【００６１】
以上に説明したとおり、本実施形態によれば、被写体となる人物に対して、撮影確認画面上で実際に撮影された画像を見て確認してから利用許諾画面上でその利用許諾を与えるか否かを選択する途を提供することができ、また、複数の人物を被写体として撮影する場合でも、個々の人物に利用許諾の意思表示を正確に示させることができる。
【符号の説明】
【００６２】
１０３  液晶ディスプレイ（表示部）
１０５  タッチパネル（操作入力部）
２１３  商品マスタエリア（商品データベース）
２１４  被写体マスタエリア（被写体データベース）
２１６  メタ画像蓄積エリア（画像データベース）
２１７  商品ＩＤリンクエリア（画像データベース）
Ａ  利用範囲選択画面
Ｃ  撮影確認画面
Ｄ  利用許諾画面
【先行技術文献】
【特許文献】
【００６３】
【特許文献１】特開２００５−１０７３５８号公報
【特許文献２】特開２００７−００５９３６号公報
【図１】
2011170878.tif 000003
【図２】
2011170878.tif 000004
【図３】
2011170878.tif 000005
【図４】
2011170878.tif 000006
【図５】
2011170878.tif 000007
【図６】
2011170878.tif 000008
【図７】
2011170878.tif 000009
【図８】
2011170878.tif 000010
【図９】
2011170878.tif 000011
【図１０】
2011170878.tif 000012
【図１１】
2011170878.tif 000013
【図１２】
2011170878.tif 000014
【図１３】
2011170878.tif 000015
【図１４】
2011170878.tif 000016